(57)【要約】【課題】主に、視覚効果を向上させ得るようにする。【解決手段】文字板２と、文字板２の表面に沿って回動する指針３とを有する車両用計器装置１に関する。そして、指針３の手前側に、指針３の一部を光拡散状態で視認し得るようにする光拡散部２１を設けるようにしている。また、指針３の中間部１３から基部１２までの部分に、指針３の先端部１４へ向かうに従い、光拡散部２１（透明板３１）との間の（指針軸１１の延長方向の）間隔が小さくなる上がり勾配の傾斜部３５を設けるようにする。【選択図】図１
2012229972.tif 000002
【特許請求の範囲】
【請求項１】
文字板と、該文字板の表面に沿って回動する指針とを有する車両用計器装置において、
前記指針の手前側に、指針の一部を光拡散状態で視認し得るようにする光拡散部を設けると共に、
指針の中間部から基部までの部分に、指針の先端部へ向かうに従い、光拡散部との間の間隔が小さくなる上がり勾配の傾斜部を設けたことを特徴とする車両用計器装置。
【請求項２】
前記光拡散部を、指針の先端部以外の、指針の中間部から基部までの部分の少なくとも一部が光拡散状態で視認されるよう構成したことを特徴とする請求項１記載の車両用計器装置。
【請求項３】
前記光拡散部が、文字板における指針回動領域のうちの少なくとも周方向の一部の領域に対して設けられたことを特徴とする請求項１または請求項２記載の車両用計器装置。
【請求項４】
前記光拡散部が、文字板の指針回動領域における、通常使用領域外の非通常使用領域、または、通常使用領域内の特定領域に対して設けられたことを特徴とする請求項３記載の車両用計器装置。
【請求項５】
前記光拡散部が、指針の手前側に配設された透明板に設けられたことを特徴とする請求項１ないし請求項４のいずれか１項に記載の車両用計器装置。
【請求項６】
文字板の中央部に、指針の傾斜部の回転を許容しつつ傾斜部を収容可能な傾斜部収容凹部を設けたことを特徴とする請求項１ないし請求項５のいずれか１項に記載の車両用計器装置。
【発明の詳細な説明】
【技術分野】
【０００１】
この発明は、視覚効果を向上させた車両用計器装置に関するものである。
【背景技術】
【０００２】
自動車などの車両には、車室内の前部にコックピットが設置されている。このコックピットの運転席側の部分または車幅方向の中央部などには、車両用計器装置が設けられている。
【０００３】
このような車両用計器装置には、文字板と、この文字板の表面に沿って回動する指針とを有するアナログ表示式のものが存在している（例えば、特許文献１参照）。
【先行技術文献】
【特許文献】
【０００４】
【特許文献１】特開２００８−６４６３６号公報
【発明の概要】
【発明が解決しようとする課題】
【０００５】
しかしながら、上記アナログ表示式の車両用計器装置では、指針の全体が、指針回動領域の全域において、一様に明瞭に視認されるようになっているため、指針や指針回動領域に対する視覚効果や、注意喚起などを行わせる強調効果が小さかった。
【課題を解決するための手段】
【０００６】
上記課題を解決するために、本発明は、文字板と、該文字板の表面に沿って回動する指針とを有する車両用計器装置において、前記指針の手前側に、指針の一部を光拡散状態で視認し得るようにする光拡散部を設けると共に、指針の中間部から基部までの部分に、指針の先端部へ向かうに従い、光拡散部との間の間隔が小さくなる上がり勾配の傾斜部を設けたことを特徴とする。
【発明の効果】
【０００７】
本発明によれば、上記構成によって、以下のような作用効果を得ることができる。即ち、光拡散部を設けた部分にて、指針の一部を明瞭度を低下させた光拡散状態で視認させる（即ち、ボカして見せる）ことができると共に、光拡散部を設けた部分とそれ以外の部分とで、指針の見え方が変化することによって、それぞれ別々に注意喚起などを行わせることができる。
【０００８】
また、指針の中間部から基部までの部分に、指針の先端部へ向かうに従い、光拡散部との間の間隔が小さくなる上がり勾配の傾斜部を設けたことにより、光拡散部からの距離が遠い指針の基部側ほど光拡散効果がより大きくなると共に、側方へより大きく拡がって見えるようにすることができる。これにより、均一幅の指針であっても、光拡散部の位置で、基部側ほど広くなる不均一幅の指針であるかのように視認させることができるようになる。
【図面の簡単な説明】
【０００９】
【図１】本発明の実施例にかかる車両用計器装置の正面図である。
【図２】図１のＡ−Ａ線に沿った断面図である。
【図３】図１の斜視図である。
【図４】指針が光拡散部外に位置した状態を示す図１と同様の作動図である。
【図５】指針が光拡散部内に位置した状態を示す図１と同様の作動図である。
【発明を実施するための形態】
【００１０】
自動車などの車両には、車室内の前部にコックピットが設置される。このコックピットの運転席側の部分または車幅方向の中央部などには、車両用計器装置が設けられる。
【００１１】
このような車両用計器装置は、例えば、速度計や、回転計や、次世代車両（ハイブリッド車や電気自動車や燃料電池車など）のための高機能化されたバッテリー計や、その他の計器などのうちの少なくとも１つまたは２つ以上の複数のものを備えたものとされる。この実施例では、車両用計器装置を、速度計を１つのみ備えた例として示している。
【００１２】
そして、この車両用計器装置は、少なくとも、文字板と、この文字板の表面に沿って回動する指針とを有するアナログ表示式のものとされる。
【００１３】
以下、本発明を具体化した実施例を、図面を用いて詳細に説明する。
【００１４】
ここで、図１〜図５は、この実施例の車両用計器装置１を示すものである。このうち、図１〜図３は構成図、図４〜図５は作動図である。
【実施例】
【００１５】
＜構成＞以下、構成について、主に、図１〜図３の構成図を用いて説明する。
【００１６】
先ず、図１は、車両用計器装置１の正面図であり、この車両用計器装置１は、文字板２と、この文字板２の表面に沿って回動する指針３とを備えている。
【００１７】
また、文字板２および指針３の手前側（乗員側または車両前後方向の後側）には、所要の間隔を有して図示しない透明カバーが設けられている。なお、通常の場合、文字板２および指針３は、その全体が、透明カバーを介して、外部から一様に明瞭に視認可能な明瞭視認部とされる。
【００１８】
そして、文字板２は、少なくとも、その中心部に指針軸孔５（図２の断面図参照）を有すると共に、この指針軸孔５を中心とするほぼ円形状または部分円形状の指針回動領域６を有している。この指針回動領域６は、大きく内周部分７と外周部分８とに分けられる。そして、この指針回動領域６の外周部分８には、目盛部９や数値指示部１０などによって、運転情報（この場合には速度）を表示し得るようにした情報表示エリアが設けられる。なお、この外周部分８に対し、目盛部９および数値指示部１０は、全域に亘って均等に配置しても良いが、判読性を向上するなどのために、外周部分８における図１の下側部分については、一定範囲に亘って空白域にしている。
【００１９】
そして、この場合には、目盛部９が外周部分８の外側に設けられ、数値指示部１０が外周部分８の内側に設けられているが、目盛部９および数値指示部１０は、どちらを外周部分８の外側に設けても良い。なお、特殊な例として、目盛部９および数値指示部１０の少なくとも一方を、外周部分８に加えて或いは外周部分８に設ける代りに、上記した図示しない透明カバーに対して設けることになどもできる。
【００２０】
この実施例では、車両用計器装置１は、速度計としているが、上記したような、回転計や、次世代車両（ハイブリッド車や電気自動車や燃料電池車など）のための高機能化されたバッテリー計や、その他の計器などとしても良い。回転計とした場合には、運転情報は、例えば、エンジンまたは走行用モータの回転数などとなり、バッテリー計とした場合には、運転情報は、例えば、バッテリー容量などとなる。
【００２１】
指針３は、文字板２の上記した指針軸孔５に対して、文字板２と面直に貫通配置された透明な樹脂製の指針軸１１（図２参照）の手前側端部（図２の上端部）にその一端部（基部１２）が取付けられて、中間部１３および他端部（先端部１４）が指針回動領域６の半径方向へ向けて、（乗員による正面視で）直線的に延びるものとされている。なお、指針３と指針軸１１とは、通常の場合、一体成形される。指針３の基部１２には、指針軸１１との接続部分の周辺を覆い隠すなどのための指針キャップ１５が取付けられる。この指針キャップ１５が取付けられた部分およびその近傍が指針３の基部１２であり、指針回動領域６の外周部分８上に位置する部分およびその近傍が指針３の先端部１４であり、その間の部分が指針３の中間部１３である。なお、この実施例では、指針キャップ１５は、指針３の基部１２を覆い隠さないで外部に露出させるような、意匠的なものとされている（露出型指針基部）。
【００２２】
指針３の先端部１４は、目盛部９に対する指示位置が明確に判読できるよう、上記した目盛部９と半径方向に対して少なくとも部分的に重複されるようになっている。また、指針３の先端部１４（少なくとも手前側の面）は、目盛部９に対する指示位置が明確に判読できるよう、上記した文字板２の外周部分８の面とほぼ平行に形成されている。指針３は、正面視で、全長に亘ってほぼ均一幅（或いは、均一太さ）のものとされる。指針３は、無色または有色の透明な樹脂製の導光部材によって構成される。また、指針３の奥側（文字板２側）の面には、上記した指針軸孔５または指針軸１１の内部を通って指針３内部へ導入された光を、指針３全体に拡げて指針３の手前側の面を均一に照明（発光）させるようにする図示しない反射層が形成されている。なお、指針３を照明する光源は、特に図示しないが、文字板２の裏側などに設けられる。
【００２３】
そして、以上のような基本構成に対し、この実施例のものでは、以下のような構成を備えるようにしている。
【００２４】
（構成１）
指針３の手前側に、指針３の一部を光拡散状態で視認し得るようにする光拡散部２１（或いは、指針部分的光拡散部）を設けるようにする。
【００２５】
即ち、上記した明瞭視認部に対し、部分的に光拡散部２１を設けるようにする。或いは、明瞭視認部の一部を、光拡散部２１とする。
【００２６】
ここで、指針３の手前側とは、指針３の手前側の面と、上記した図示しない透明カバーとの間の部分である。但し、指針３の手前側の面そのものは含まず、透明カバーは含むものとする。
【００２７】
指針３の一部とは、文字通り、指針３の全部ではないという意味である。
【００２８】
光拡散状態で視認とは、図２に示すように、意図的に、光を拡散させて指針３の一部の輪郭をボカして見えるようにする、或いは、明瞭度を低下させるようにすることであり、例えば、擦りガラスや曇ガラスなどのように表面に細かい凹凸を有する半透明の部材を通して見たような状態にすることである。
【００２９】
光拡散部２１は、指針回動領域６の全域を完全に覆い尽くすようなものが除外される。光拡散部２１は、指針回動領域６内に１箇所または２箇所以上の複数箇所設けることができる。光拡散部２１の詳細については後述する。
【００３０】
（構成２）
特に、上記光拡散部２１を、指針３の先端部１４以外の、指針３の中間部１３から基部１２までの部分の少なくとも一部が光拡散状態で視認されるように構成する（指針先端部以外光拡散部）。
【００３１】
ここで、光拡散部２１（によって指針３を光拡散させる範囲）は、指針３の中間部１３と、基部１２との両方またはいずれか一方、或いは、指針３の中間部１３から基部１２までの部分のうちの任意の１箇所以上の部分に対して設けることができる。この場合には、指針３の中間部１３と基部１２との両方に対して光拡散部２１を設けるようにしている。
【００３２】
そのために、光拡散部２１を、指針回動領域６の内周部分７に相当する位置に設けるようにする。
【００３３】
（構成３）
また、上記光拡散部２１が、文字板２における指針回動領域６の周方向の少なくとも一部の領域に対して設けられるようにする（文字板局部的光拡散部）。
【００３４】
ここで、光拡散部２１（を指針回動領域６に対して設置する範囲）は、文字板２の指針回動領域６の周方向の全域に対して設けるのではなく、上記したように、指針回動領域６の周方向の少なくとも一部の領域のみに対して設けるようにする。光拡散部２１は、指針回動領域６に対し、１箇所または２箇所以上の複数箇所設けることができる。
【００３５】
なお、光拡散部２１を、２箇所以上の複数箇所設けた場合には、そのうちの少なくとも１箇所が、指針回動領域６の周方向の少なくとも一部の領域に対して設けらていれば、他の光拡散部２１については指針回動領域６の周方向の全域に対して設けるようにしても良い。
【００３６】
（構成４）
特に、光拡散部２１が、文字板２の指針回動領域６における、通常使用領域２４外の非通常使用領域２５、または、通常使用領域２４内の特定領域（特に図示せず）に対して設けられるようにする（非通常使用領域等用拡散部）。
【００３７】
ここで、指針回動領域６を、周方向に、通常使用領域２４と、非通常使用領域２５とに分けた場合、光拡散部２１は、通常使用領域２４と非通常使用領域２５とのどちらかに設けるようにする。また、通常使用領域２４を、周方向に、通常領域と、特定領域とに分けた場合、光拡散部２１は、通常領域と、特定領域とのどちらかに設けるようにする。好ましくは、非通常使用領域２５または特定領域の少なくとも一方に対して設けるようにする。
【００３８】
なお、通常使用領域２４は、文字通り、通常使用する機会が多い領域であり、非通常使用領域２５は、文字通り、通常使用する機会が少ない領域である。また、特定領域は、文字通り、通常使用領域２４の中の何らかの意味合いを持たせた領域であり、通常領域は、文字通り、通常使用領域２４の中の特に意味付けしていない通常の領域である。
【００３９】
例えば、車両用計器装置１が、速度計の場合、法定速度域が通常使用領域２４となり、法定速度域以上の高速域が非通常使用領域２５となり、また、法定速度域内の省エネルギー運転域が特定領域となる。
【００４０】
また、例えば、回転計の場合、通常回転域が通常使用領域２４となり、通常回転域以上のいわゆるレッドゾーンが非通常使用領域２５となり、また、通常回転域内の省エネルギー運転用回転域が特定領域となる。
【００４１】
或いは、例えば、上記したバッテリー計の場合、電力消費領域が通常使用領域２４となり、電力回生領域が非通常使用領域２５となる。
【００４２】
但し、通常使用領域２４と非通常使用領域２５との区分けや、通常領域と特定領域との区分けや意味付けについては、これに限るものではない。
【００４３】
この実施例の場合、特定領域に対しては、光拡散部２１を特に設けないようにしているが、設けても良いことは勿論である。
【００４４】
なお、この実施例の場合、上記構成３、構成４は、指針３の中間部１３に対してのみ適用されており、指針３の基部１２については、構成１、構成２に基づき、全域に亘る光拡散部２１となっている。但し、指針３の中間部１３に対する光拡散部２１と、指針３の基部１２に対する光拡散部２１とは、繋がって一つのものとされている。
【００４５】
（構成５）
そして、上記光拡散部２１が、指針３の手前側に配設された透明板３１に設けられるようにする。
【００４６】
ここで、透明板３１は、上記したように、図示しない上記透明カバーを含むものとすることができるが、機能上（設置上、精度上、見栄上、判読性上など）の理由により、透明カバーとは別に専用の透明板３１を設けるようにするのが好ましい。この場合、透明板３１は、指針回動領域６と同心状に配設された、内周部分７とほぼ同じ大きさの円板状または部分円板状のものとされている。即ち、透明板３１を、光拡散部２１に必要な大きさよりも大きなものとしている。但し、透明板３１は、光拡散部２１と同じ大きさのものとしても良い。
【００４７】
この透明板３１は、指針３の手前側の面と透明カバーとの両者から指針軸１１の延長方向に離れた位置に、ほぼ浮遊状態で配設されている。この透明板３１は、支柱部３２を介して、文字板２に支持されている。この支柱部３２は、外部から目立たないよう、情報判読の妨げとならないよう、透明板３１の光拡散部２１と、光拡散部２１が設けられていない透明な部分（光通常透過部３３）との境界部分（特に、目盛部９および数値指示部１０のない図１の下側部分）に設けられている。この場合、支柱部３２は、正面視で透明板３１の半径方向へ延びる細長い形状などとされて、強度向上、支持力向上が図られている。
【００４８】
そして、この透明板３１の全面に対しまたは部分的に、光拡散処理（フロスト処理）により光拡散部２１が設けられる。この場合、光拡散部２１は、上記したように、透明板３１の一部（高速域の部分）に設けられているので、透明板３１は、高速域に対する光拡散部２１と、法定速度域に対する光通常透過部３３とをそれぞれ有することになる。
【００４９】
この光拡散部２１は、サンドブラストやエッチングなどの直接的な表面加工による光拡散処理によって形成することができるし、または、細かい凹凸部のボカし模様を有するフィルムの貼着や透明板３１にインサート成形するなどの他の部材を用いた間接的な光拡散処理によって形成することができる。
【００５０】
なお、光拡散部２１は、透明板３１の片面、または両面に対して設けることができる。この場合には、透明板３１の奥側の面に対して光拡散部２１を設けるようにしている。
【００５１】
（構成６）
指針３の中間部１３から基部１２までの部分に、指針３の先端部１４へ向かうに従い、光拡散部２１（透明板３１）との間の（指針軸１１の延長方向の）間隔が小さくなる上がり勾配の傾斜部３５を設けるようにする。
【００５２】
ここで、傾斜部３５は、少なくとも指針３の手前側の面が上記のように傾斜されたものとする。指針３の手前側の面の傾斜部３５の傾斜は、光拡散部２１による視覚効果を優先して設定する。指針３の奥側の面については、手前側の面と同じ傾斜にしても良いが、上記した図示しない反射層によって手前面を均一に発光させることを優先して、手前側の面の傾斜部３５とは異なる形状や、異なる傾斜を有するものとすることができる。
【００５３】
（構成７）
文字板２の中央部に、指針３の傾斜部３５の回転を許容しつつ傾斜部３５を収容可能な傾斜部収容凹部３８を設けるようにする。
【００５４】
ここで、傾斜部収容凹部３８は、上記した内周部分７に対して設けられる。傾斜部収容凹部３８は、乗員による正面視で透明板３１とほぼ等しい大きさに形成される。傾斜部収容凹部３８は、指針３の中間部１３から基部１２までの部分（特に、奥側の面）の高低差や傾斜形状を考慮した深さや形状などを有する立体的なものとされる。
【００５５】
＜作用＞以下、この実施例の作用について、図４〜図５の作動図を用いて説明する。
【００５６】
この実施例では、図４に示すように、法定速度域などの通常使用領域２４では、光拡散部２１がないことにより、指針３は、基部１２を除く先端部１４から中間部１３までの部分が、ほぼ均一幅のものとして明瞭に視認（直視）される。なお、指針３の基部１２については、光拡散部２１により、輪郭がボカされた状態で視認（間接視）される。
【００５７】
そして、図５に示すように、法定速度域以上の高速域などの非通常使用領域２５では、指針３は、光拡散部２１がないことにより、先端部１４のみが、ほぼ均一幅のものとして明瞭に視認（直視）されると共に、中間部１３から基部１２までの部分が、光拡散部２１により、輪郭がボカされて幅が太くなったように視認（間接視）される。
【００５８】
しかも、指針３の中間部１３から基部１２までを傾斜部３５としたことにより、光拡散部２１からの距離が遠い指針３の基部１２側は、光拡散効果がより大きくなると共に、側方へより大きく拡がって見え（即ち、ボケや拡がりによる膨張効果が大きくなり）、光拡散部２１からの距離が近い指針３の先端部１４側は、光拡散効果がより小さくなると共に、側方へより小さく拡がって見える（即ち、ボケや拡がりによる膨張効果が小さくなる）ことになる。即ち、指針３は、中間部１３から基部１２までの太さが異なる（基部１２側ほど太くなる）ように見える。これによって、指針３が、末拡がり形状に変化したような特異な視覚効果を得ることができる。
【００５９】
なお、光拡散部２１での拡散効果をより有効に発揮させるために、上記した光源や、図示しない光源駆動装置により、指針３を、全域で昼夜を問わずに常時照明させるようにするのが好ましい。または、指針３を、光拡散部２１を設けた領域に入った時に昼夜を問わず自動的に照明させるように構成しても良い。
【００６０】
＜効果＞以下、この実施例の効果について説明する。
【００６１】
（効果１）
指針３の手前側に、指針３の一部を光拡散状態で視認し得るようにする光拡散部２１を設けたことにより、光拡散部２１を設けた部分にて、指針３の一部を明瞭度を低下させた光拡散状態で視認させる（即ち、光拡散させてボカして見せる）ことができると共に、光拡散部２１を設けた部分とそれ以外の部分（光通常透過部３３）とで、指針３の見え方が変化することによって、それぞれ別々に注意喚起などを行わせることができる。これにより、指針３全体が指針回動領域６の全域に亘って一様に視認される通常の場合と比べて、意図的に、指針３に対する視覚効果を多様化したり、複数のエリアごとに注意喚起などを行わせたりすることができるようになる。即ち、光拡散部２１を用いて指針３の一部を光拡散状態で視認させることによって、これまでにない全く異質の視覚効果を創出したり、指針３や指針回動領域６を強調したりすることができる。
【００６２】
（効果２）
光拡散部２１を、指針３の先端部１４以外の、指針３の中間部１３から基部１２までの部分の少なくとも一部が光拡散状態で視認されるよう構成したことにより、指針３の中間部１３から基部１２までの部分に通常とは異なる視覚効果（ボカし効果）を持たせて目立たせたり或いは目立たなくしたりすることや、指針３の中間部１３から基部１２までの部分を意識させずに指針３の先端部１４のみを強調することや、指針３の中間部１３から基部１２までの部分と指針３の先端部１４とを別々に意識させることなどができるようになる。これにより、指針３による情報表示に対する視認性や意識の集中度を向上したり、指針３自体の意匠性を向上したりすることができる。
【００６３】
（効果３）
光拡散部２１を、文字板２における指針回動領域６の周方向の少なくとも一部の領域に対して局所的に設けたことにより、光拡散部２１を設けた領域（光拡散領域）と設けない領域（非光拡散領域）とで指針３に対する視覚的効果を変化させて、より多様に注意喚起を行わせることができるようになる。これにより、指針回動領域６の周方向の全域が一様に視認される場合と比べて、特定の領域に対する注意喚起などを行わせたり、指針回動領域６自体の意匠性を向上したりすることが可能となる。
【００６４】
（効果４）
光拡散部２１を、文字板２の指針回動領域６における、通常使用領域２４外の非通常使用領域２５、または、通常使用領域２４内の特定領域に対して設けたことにより、非通常使用領域２５や特定領域に通常使用領域２４や通常領域とは異なる視覚効果を持たせることや、通常使用領域２４や通常領域を意識させずに非通常使用領域２５や特定領域を強調させることや、通常使用領域２４や通常領域と、非通常使用領域２５や特定領域とを別々に意識させることなどができるようになる。これにより、非通常使用領域２５や特定領域に対する視認性や意識の集中度を向上したり、指針３の表示効果を向上したりすることができる。
【００６５】
（効果５）
光拡散部２１を、指針３の手前側に配設された透明板３１に設けたことにより、光拡散部２１を、指針回動領域６の任意の領域に対して設けたり、指針３の任意の部分に設けたりすることが、容易且つ高精度にできるようになる。
【００６６】
（効果６）
指針３の中間部１３から基部１２までの部分に、指針３の先端部１４へ向かうに従い、光拡散部２１との間の間隔が小さくなる上がり勾配の傾斜部３５を設けたことにより、光拡散部２１からの距離が遠い指針３の基部１２側ほど光拡散効果がより大きくなると共に、側方へより大きく拡がって見えるようにすることができる。これにより、均一幅の指針３であっても、光拡散部２１の位置で、基部１２側ほど広くなる不均一幅の指針３であるかのように視認させることができるようになる。
【００６７】
（効果７）
文字板２の中央部に、指針３の傾斜部３５の回転を許容しつつ傾斜部３５を収容可能な傾斜部収容凹部３８を設けたことにより、傾斜部３５を設けることで文字板２の表面と指針３の先端部１４との間が必要以上に離れてしまい、情報表示が判読し難くなってしまうのを防止することができる。
【００６８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６９】
１    車両用計器装置
２    文字板
３    指針
６    指針回動領域
１２  基部
１３  中間部
１４  先端部
２１  光拡散部
２４  通常使用領域
２５  非通常使用領域
３１  透明板
３５  傾斜部
３８  傾斜部収容凹部
【図１】
2012229972.tif 000003
【図２】
2012229972.tif 000004
【図３】
2012229972.tif 000005
【図４】
2012229972.tif 000006
【図５】
2012229972.tif 000007